(57)【要約】【課題】記録媒体に記録されているコンテンツのコピー実績を管理し、ひいては私的録音保証制度における保証金を著作権者に公平に分配する。【解決手段】コンテンツ情報処理プログラムＤはオーディオＣＤ１１に記録されているコンテンツがＣＤ−Ｒ１２にコピーされた場合に、オーディオＣＤに記録されているＩＳＲＣをコンテンツ情報管理装置Ｅに送信し、コンテンツ情報管理装置Ｅは受信したＩＳＲＣに対応する楽曲名をコンテンツ情報処理プログラムＤを経由して又は直接コンテンツコピー実績管理装置Ｆに送信し、コンテンツコピー実績管理装置は楽曲名ごとにコピー回数を管理し、コンテンツコピー実績管理装置により管理されている楽曲名ごとのコピー回数に基づいてオーディオＣＤに記録されているコンテンツの著作権料をその著作権者に分配することが可能となる。0【選択図】図２
2007287249.tif 000002
【特許請求の範囲】
【請求項１】
第１の記録媒体に記録されているコンテンツをユーザが第２の記録媒体にコピーした場合のコピー実績を管理するコンテンツコピー実績管理システムであって、
前記第１の記録媒体に記録されている前記コンテンツを前記ユーザが前記第２の記録媒体にコピーするユーザ端末と、
前記第１の記録媒体に記録されているコンテンツ識別情報を管理するコンテンツ情報管理装置と、
前記第１の記録媒体に記録されている前記コンテンツのコピー実績をコピー実績管理対象のコンテンツ特定情報ごとに集中的に管理するコピー実績管理装置とがネットワークを介して接続可能であり、
前記ユーザ端末は、前記第１の記録媒体に記録されている前記コンテンツが前記第２の記録媒体にコピーされた場合に、前記第１の記録媒体に記録されている前記コンテンツ識別情報を前記コンテンツ情報管理装置に送信し、
前記コンテンツ情報管理装置は、前記コンテンツ識別情報又は前記コンテンツ識別情報に対応するコピー実績管理対象のコンテンツ特定情報を前記ユーザ端末を経由して又は直接前記コピー実績管理装置に送信し、
前記コピー実績管理装置は、前記コンテンツ識別情報ごと又は前記コンテンツ特定情報ごとにコピー回数を管理するようにしたコンテンツコピー実績管理システム。
【請求項２】
第１の記録媒体に記録されているコンテンツをユーザが第２の記録媒体にコピーした場合のコピー実績を管理するコンテンツコピー実績管理システムであって、
前記第１の記録媒体に記録されている前記コンテンツを前記ユーザが前記第２の記録媒体にコピーするユーザ端末と、
前記第１の記録媒体に記録されている前記コンテンツのコピー実績を集中的に管理するコピー実績管理装置とがネットワークを介して接続可能であり、
前記ユーザ端末は、前記第１の記録媒体に記録されている前記コンテンツが前記第２の記録媒体にコピーされた場合に、前記第１の記録媒体に記録されているコンテンツ識別情報を前記コピー実績管理装置に送信し、
前記コピー実績管理装置は、前記コンテンツ識別情報ごと又は前記コンテンツ識別情報に対応するコピー実績管理対象のコンテンツ特定情報ごとにコピー回数を管理するようにしたコンテンツコピー実績管理システム。
【発明の詳細な説明】
【技術分野】
【０００１】
本発明は、コンパクトディスク（ＣＤ）などの記録媒体に記録されているコンテンツのコピー実績を管理するシステムに関する。
【背景技術】
【０００２】
私的録音保証制度では、ＭＤ（MiniDisc）やオーディオ用ＣＤ−Ｒ（Compact Disc-Recordable）などの情報記録媒体や情報記録再生装置は、オーディオＣＤなどの記録媒体からコンテンツをコピー可能なため、販売時に保証金を課金し、著作権管理団体がこの保証金をコピー元の記録媒体の著作権者に分配する。なお、関連技術としては、例えば下記の特許文献１には、ネットワーク上にデジタルコンテンツの著作権を管理する方法が開示されている。また、下記の特許文献２には、媒体に記録されているコンテンツの関連情報をユーザがネットワーク上のサーバから入手する方法が開示されている。
【特許文献１】特開２００１−３４６６６号公報（要約書）
【特許文献２】特開平１０−１１６４７２号公報（要約書）
【発明の開示】
【発明が解決しようとする課題】
【０００３】
しかしながら、オーディオＣＤなどのコンテンツが私的にコピーされたかの実績を管理する手段が無く、前記の私的録音保証制度における保証金の分配金は、主にコピー元の記録媒体の過去の販売実績などを基に算出されているので、販売実績と私的コピーの実績が対応しているとは限らず、保証金の分配方法が不透明で問題となっている。また、著作権者にとっては、自己のコンテンツがどの程度コピーされているかを知りたいという要求がある。
【０００４】
本発明は上記従来技術の問題点に鑑み、コンパクトディスク（ＣＤ）などの記録媒体に記録されているコンテンツのコピー実績を管理することができ、ひいては私的録音保証制度における保証金を著作権者に公平に分配することができるコンテンツコピー実績管理システムを提供することを目的とする。
【課題を解決するための手段】
【０００５】
本発明は上記目的を達成するために、第１の記録媒体に記録されているコンテンツをユーザが第２の記録媒体にコピーした場合のコピー実績を管理するコンテンツコピー実績管理システムであって、
前記第１の記録媒体に記録されている前記コンテンツを前記ユーザが前記第２の記録媒体にコピーするユーザ端末と、
前記第１の記録媒体に記録されているコンテンツ識別情報を管理するコンテンツ情報管理装置と、
前記第１の記録媒体に記録されている前記コンテンツのコピー実績をコピー実績管理対象のコンテンツ特定情報ごとに集中的に管理するコピー実績管理装置とがネットワークを介して接続可能であり、
前記ユーザ端末は、前記第１の記録媒体に記録されている前記コンテンツが前記第２の記録媒体にコピーされた場合に、前記第１の記録媒体に記録されている前記コンテンツ識別情報を前記コンテンツ情報管理装置に送信し、
前記コンテンツ情報管理装置は、前記コンテンツ識別情報又は前記コンテンツ識別情報に対応するコピー実績管理対象のコンテンツ特定情報を前記ユーザ端末を経由して又は直接前記コピー実績管理装置に送信し、
前記コピー実績管理装置は、前記コンテンツ識別情報ごと又は前記コンテンツ特定情報ごとにコピー回数を管理するようにした。
【０００６】
また本発明は上記目的を達成するために、第１の記録媒体に記録されているコンテンツをユーザが第２の記録媒体にコピーした場合のコピー実績を管理するコンテンツコピー実績管理システムであって、
前記第１の記録媒体に記録されている前記コンテンツを前記ユーザが前記第２の記録媒体にコピーするユーザ端末と、
前記第１の記録媒体に記録されている前記コンテンツのコピー実績を集中的に管理するコピー実績管理装置とがネットワークを介して接続可能であり、
前記ユーザ端末は、前記第１の記録媒体に記録されている前記コンテンツが前記第２の記録媒体にコピーされた場合に、前記第１の記録媒体に記録されているコンテンツ識別情報を前記コピー実績管理装置に送信し、
前記コピー実績管理装置は、前記コンテンツ識別情報ごと又は前記コンテンツ識別情報に対応するコピー実績管理対象のコンテンツ特定情報ごとにコピー回数を管理するようにした。
【発明の効果】
【０００７】
本発明によれば、第１の記録媒体に記録されたコンテンツをユーザが私的にコピーした実績を正確に把握することが可能となり、また、私的録音保障制度のコンテンツコピー実績管理に適用した場合、実際に私的にコピーした実績が保証金の分配に適用できるので、公正な分配が可能となる。
【発明を実施するための最良の形態】
【０００８】
以下、図面を参照して本発明の実施の形態について説明する。図１は本発明に係るコンテンツコピー実績管理システムの第１の実施の形態を示すブロック図、図２は図１のシステムの具体的構成及び処理を示すブロック図である。
【０００９】
図１に示すシステムは、コピー元の情報記録媒体Ａに記録されているコンテンツの識別情報は、コピー元の情報記録媒体Ａの個々の販売会社などにより管理されているが、業界団体などにより集中的に管理されていない場合を想定している。このため、図１に示すシステムは、コピー元の情報記録媒体Ａに記録されているコンテンツがユーザにより私的にコピー先の情報記録媒体Ｂ又は情報記録再生装置Ｃにコピーされたことを管理するために、コンテンツ識別情報を処理するコンテンツ情報処理プログラムＤと、コンテンツの識別情報又はコンテンツの識別情報からコピー実績管理対象のコンテンツ特定情報を検索してコンテンツ情報処理プログラムＤに提供するコンテンツ情報管理装置Ｅと、コンテンツの識別情報又はコピー実績管理対象のコンテンツ特定情報ごとのコピー実績を集中的に管理するコンテンツコピー実績管理装置ＦがネットワークＧを介して接続される。
【００１０】
ここで、ユーザがコピー元の情報記録媒体Ａからコピー先の情報記録媒体Ｂ又は情報記録再生装置Ｃにコンテンツをコピーする際にはコンテンツ情報処理プログラムＤを使用しなければコピーできないものと定義する。また、コンテンツ情報管理装置Ｅは、コピー元の情報記録媒体Ａの販売会社などごとに設けられ、コンテンツコピー実績管理装置Ｆは、コピー元の情報記録媒体Ａの複数の販売会社をまとめた業界団体などの著作権管理団体に設けられる。
【００１１】
コピー元の情報記録媒体Ａは、例としてオーディオなどのコンテンツを記録した再生専用ＣＤなどが挙げられ、コピー先の情報記録媒体Ｂの例としては、ＣＤ−Ｒなどが挙げられる。コピー先の情報記録再生装置Ｃの例としては、ＭＤプレーヤやＨＤＤ（ハードディスクドライブ）内蔵携帯音楽プレーヤなどの内部にコピー先記録媒体を有するものが挙げられる。コンテンツ情報処理プログラムＣは、ユーザが私的にコピーしたコンテンツを識別するためのコンテンツ識別情報をコピー元の情報記録媒体Ａから検出して、そのコンテンツ識別情報をネットワークＧを介してコンテンツ情報管理装置Ｅに送信し、コンテンツ情報管理装置Ｅからコンテンツ識別情報に応答して返信されたコンテンツ特定情報を受信し、受信したコンテンツ特定情報をコンテンツコピー実績管理装置Ｆに送信する。コンテンツ情報処理プログラムＤが保存される場所としては、ＰＣなどのユーザ端末、ＨＤＤ内臓オーディオプレーヤなどのコピー先の情報記録再生装置Ｃ、ＣＤなどのコピー元の情報記録媒体Ａが挙げられる。
【００１２】
コンテンツ情報管理装置Ｅは、コンテンツ情報処理プログラムＤから送信されるコンテンツ識別情報を基にコピー実績管理対象のコンテンツ特定情報を検索し、コンテンツ情報処理プログラムＤに提供するシステムである。コンテンツコピー実績管理装置Ｆはコンテンツ情報処理プログラムＤからコピー実績管理対象のコンテンツ特定情報を受け取り、そのコンテンツ特定情報ごとにコピー回数をインクリメントして保存することにより、コピー元の情報記録媒体Ａからのコンテンツのコピー実績を管理する装置である。
【００１３】
図２を参照して図１のシステムの具体的構成及び処理を説明する。コピー元の情報記録媒体ＡをオーディオＣＤ１１、コピー先の情報記録媒体ＢをＣＤ−Ｒ１２とし、コンテンツ情報処理プログラムＤはユーザ端末であるＰＣ１３に保存されている。オーディオＣＤ１１には複数の楽曲データ１、２、３・・・により構成されるコンテンツａが記録されており、また、複数の楽曲データ１、２、３・・・の各々ごとに、各楽曲データを識別する情報としてＩＳＲＣ（International Standard Recording Code）がサブコードとして記録されている。ＰＣ１３にはコンテンツ情報処理プログラムＤのほかに、オーディオＣＤ１１などのコピー元の情報記録媒体Ａの楽曲データをＣＤ−Ｒ１２などのコピー先の情報記録媒体Ｂへコピーするためのコンテンツコピープログラム１４も記録されている。
【００１４】
また、個々のコンテンツ情報管理装置Ｅには、自己の著作権に関するオーディオＣＤ１１内の楽曲データ１、２、３・・・ごとに、コンテンツ識別情報としてＩＳＲＣと、コンテンツ特定情報として楽曲名が記録されている。さらに、コンテンツコピー実績管理装置Ｆはコンテンツ特定情報として楽曲名ごとにコピー回数を管理している。
【００１５】
この構成において、オーディオＣＤ１１からユーザが選択した楽曲データをＣＤ−Ｒ１２へコピーする際の処理を説明する。ここでは、オーディオＣＤ１１には、複数の楽曲データ１、２、３・・・より成る１つのコンテンツａが記録され、このうち、楽曲データ１、２をＣＤ−Ｒ１２へコピーするものとする。まず、ユーザが私的にコピーしたい楽曲データを指定するために、記録順（何番目の曲か）をコンテンツ情報処理プログラムＤに入力すると（ステップ１−１）、コンテンツ情報処理プログラムＤは、その楽曲データのＩＳＲＣ（図２ではコンテンツａの楽曲データ１のＩＳＲＣ＝ＹＹ１と、コンテンツａの楽曲データ２のＩＳＲＣ＝ＹＹ２）をオーディオＣＤ１１から抽出し（ステップ１−２）、抽出したＩＳＲＣをコンテンツ情報管理装置ＥにネットワークＧを通じて送信する（ステップ１−３）。コンテンツ情報管理装置Ｅでは、受信したＩＳＲＣを基に楽曲名（図２ではコンテンツａの楽曲データ１の楽曲名＝ＸＸ１と、コンテンツａの楽曲データ２の楽曲名＝ＸＸ２）を検索・特定し（ステップ１−４）、特定した楽曲名ＸＸ１、ＸＸ２をネットワークＧを通じてコンテンツ情報処理プログラムＤに送信する（ステップ１−５）。
【００１６】
コンテンツ情報処理プログラムＤは、コンテンツ情報管理装置Ｅから受信した楽曲名ＸＸ１、ＸＸ２をコンテンツコピー実績管理装置ＦへネットワークＧを通じて送信する（ステップ１−６）。コンテンツコピー実績管理装置Ｆは、コンテンツ情報処理プログラムＤから受信した楽曲名ＸＸ１、ＸＸ２ごとにコピー回数などを保存・管理する（ステップ１−７）。なお、ステップ１−５、１−６の処理では、コンテンツ情報管理装置Ｅが特定した楽曲名ＸＸ１、ＸＸ２をコンテンツ情報処理プログラムＤを経由することなく、直接コンテンツコピー実績管理装置Ｆに送信するようにしてもよい。
【００１７】
このように、ユーザがコピー元のオーディオＣＤ１１から私的にコピーした楽曲名を管理し、コピー先の情報記録媒体Ｂ又は情報記録再生装置Ｃの購入者に課金された保証金をオーディオＣＤ１１の著作権者に正当に分配する。なお、コピー元のオーディオＣＤ１１に記録されているコンテンツのＩＳＲＣなどのコンテンツ識別情報が業界団体などにより集中的に管理されている場合には、コンテンツ情報管理装置Ｅを省略してＩＳＲＣなどのコンテンツ識別情報をコンテンツ情報処理プログラムＤからコンテンツコピー実績管理装置Ｆに送信して、コンテンツコピー実績管理装置ＦではＩＳＲＣなどのコンテンツ識別情報ごとにコピー回数を管理するようにしてもよい。
【００１８】
＜第２の実施の形態＞
第２の実施の形態について図３を参照しながら説明を行う。第２の実施の形態では、コピー元となる情報記録媒体ＡにオーディオＣＤ１１、コピー先の情報記録再生装置ＣをＨＤＤ内蔵携帯型音楽プレーヤ１５とし、コンテンツ情報処理プログラムＤはユーザ端末であるＰＣ１３内に保存されている。コンテンツ情報処理プログラムＤはオーディオＣＤ１１からコンテンツａをＨＤＤ内蔵携帯型音楽プレーヤ１５へ転送してコピーする機能も有している。
【００１９】
この構成において、複数の楽曲データが記録されたオーディオＣＤ１１からユーザが選択した楽曲データをＨＤＤ内蔵携帯型音楽プレーヤ１５へコピーする際の動作を説明する。ユーザが私的にコピーする楽曲データを指定するために、記録順（何番目の曲か）をコンテンツ情報処理プログラムＤに入力すると（ステップ２−１）、コンテンツ情報処理プログラムＤは、その楽曲データのＩＳＲＣをＣＤ１１から抽出し（ステップ２−２）、抽出したＩＳＲＣをコンテンツ情報管理装置ＥにネットワークＧを通じて送信する（ステップ２−３）。コンテンツ情報管理装置Ｅでは、受信したＩＳＲＣを基に楽曲名を検索・特定し（ステップ２−４）、特定した楽曲名をネットワークＧを通じてコンテンツ情報処理プログラムＤに送信する（ステップ２−５）。
【００２０】
コンテンツ情報処理プログラムＤは、コンテンツ情報管理装置Ｅから受信した楽曲名をコンテンツコピー実績管理装置ＦへネットワークＧを通じて送信し（ステップ２−６）、また、ＨＤＤ内蔵携帯型音楽プレーヤ１５へ転送する（ステップ２−７）。ここでは、コンテンツ情報処理プログラムＤは楽曲名をコンテンツコピー実績管理装置Ｆへ送信後、ＨＤＤ内蔵携帯型音楽プレーヤ１５へ転送しているが、本発明ではこの順序は規定しない。コンテンツコピー実績管理装置Ｆは、コンテンツ情報処理プログラムＤから受信した楽曲名ごとにコピー回数などを保存・管理する（ステップ２−８）。
【００２１】
なお、上記に示した実施の形態では、コンテンツが記録されたコピー元の情報記録媒体ＡにオーディオＣＤ１１、コピー先の情報記録再生装置ＣにＨＤＤ内蔵携帯型音楽プレーヤ１５、コピー先の情報記録媒体ＢにＣＤ−Ｒ１２を例に説明を行ったが、これに限定されない。例としてコピー元の情報記録媒体Ａ、Ｂには、ＣＤ−ＲＯＭ、ＣＤ−ＲＷ、ＤＶＤやＢｌｕ―ｒａｙ（登録商標）、ＨＤ−ＤＶＤ、ＭＤ、ＶＨＳ、Ｄ−ＶＨＳ、レーザーディスク、ＤＶＣ、ＭＤディスク、半導体メモリなど、様々なコンテンツ情報記録媒体に適用可能であり、またコピー先の情報記録再生装置Ｃには、ＭＤプレーヤ、ＤＶＤプレーヤ、ＤＶＤレコーダ、半導体メモリプレーヤなど、様々なコンテンツ情報再生記録装置に適用可能である。
【図面の簡単な説明】
【００２２】
【図１】本発明に係るコンテンツコピー実績管理システムの第１の実施の形態を示すブロック図である。
【図２】図１のシステムの具体的構成及び処理を示すブロック図である。
【図３】第２の実施の形態のコンテンツコピー実績システムの具体的構成及び処理を示すブロック図である。
【符号の説明】
【００２３】
１１  オーディオＣＤ
１２  ＣＤ−Ｒ
１３  ＰＣ（情報処理装置）
１４  コンテンツコピープログラム
１５  ＨＤＤ内蔵携帯型音楽プレーヤ（情報記録再生装置）
Ａ  コピー元の情報記録媒体
Ｂ  コピー先の情報記録媒体
Ｃ  コピー先の情報記録再生装置
Ｄ  コンテンツ情報処理プログラム
Ｅ  コンテンツ情報管理装置
Ｆ  コンテンツコピー実績管理装置
Ｇ  ネットワーク
【図１】
2007287249.tif 000003
【図２】
2007287249.tif 000004
【図３】
2007287249.tif 000005